(57)【特許請求の範囲】
【請求項１】
給水系統に連絡する１次側流路と貯水タンクに連絡する２次側流路とを開閉するダイヤフラム弁体の背後に圧力室を設けて、該圧力室に、貯水タンクの水位に伴うボールタップの浮子の下降で開弁するパイロット弁を設けて前記圧力室の水を排水して前記圧力室と前記一次側流路との差圧で前記ダイヤフラム弁体を開弁し、前記圧力室と１次側流路とを連絡する小孔からの前記圧力室への水の流入で前記ダイヤフラム弁体を閉弁するボールタップ給水栓において、前記ダイヤフラム弁体を弁座から強制的に離すための突上げロッドを設けたことを特徴とするボールタップ給水栓。
【請求項２】
前記突上げロッドは、手動操作用の操作ロッドとリンク機構で連結していることを特徴とする請求項１記載のボールタップ給水栓。
【発明の詳細な説明】
【０００１】
【産業上の利用分野】
本発明は、寒冷地において使用されるボールタップ給水栓、特に水抜き方式にて凍結防止を図るボールタップ給水栓に関する。
【０００２】
【従来の技術】
従来、凍結を起こすような寒冷地で使用されるこの種の水洗装置においては、凍結による機器の破損防止を図り、且つ、内部に水が入ったまま凍結すると利用したいときにすぐ利用できないという不具合を無くすために、給水系統には地中の不凍帯に水抜き栓が設けられており、凍結が起こりそうなときにはこの水抜き栓を操作して水洗装置から水を抜き、使用する際には空の状態から通水するように構成されている。
また、水抜き栓の操作だけでは水洗装置内部から水が抜けない場合には、水洗装置自身に水抜き装置を取り付けることにより、水洗装置内部からの水抜きを図っている。
【０００３】
【発明が解決しようとする課題】
しかし、特開平５−１７２２７４号公報のようにダイヤフラムバルブを有する水洗装置のように、弁体を差圧によって開閉駆動するものにおいては、水抜きした状態においても弁体が弁座に接しており、この弁体と弁座が接する部分に水が残るため、該部分が凍結して弁体が弁座に凍り付いてしまい、水温が氷点付近の場合、再通水しても使用できないという不具合があった。
本発明は従来技術が有する上記問題点に鑑みてなされたもので、その目的とする処は、弁体を差圧によって開閉駆動する形式のダイヤフラム弁を備えるボールタップ給水栓において、水抜き後における弁体と弁座との凍結を防止して、再通水により直ちに使用できるようにすることにある。
【０００４】
【課題を解決するための手段】
上記目的を達成するために講じた技術的手段は、給水系統に連絡する１次側流路と貯水タンクに連絡する２次側流路とを開閉するダイヤフラム弁体の背後に圧力室を設けて、該圧力室に、貯水タンクの水位に伴うボールタップの浮子の下降で開弁するパイロット弁を設けて前記圧力室の水を排水して前記圧力室と前記一次側流路との差圧で前記ダイヤフラム弁体を開弁し、前記圧力室と１次側流路とを連絡する小孔からの前記圧力室への水の流入で前記ダイヤフラム弁体を閉弁するボールタップ給水栓において、前記ダイヤフラム弁体を弁座から強制的に離すための突上げロッドを設けたことを特徴とするボールタップ給水栓であるである（請求項１）。
そして、前記突上げロッドは、手動操作用の操作ロッドとリンク機構で連結していると好適なものである（請求項２）。
【０００５】
【作用】
以上のように構成したボールタップ給水栓にあっては、給水系統に設けられた水抜き栓やボールタップ給水栓自身に取り付けた水抜き装置により水抜きした状態においても弁体が弁座に接しているが、突上げロッドを突上げてダイヤフラム弁体を弁座から強制的に引き離すことができる。
【０００６】
【実施例】
以下、図に基づいて本発明の実施の一例を説明する。
図１は便器洗浄タンク装置Ａを示すもので、１回の便器洗浄に必要な量の洗浄水を貯水タンク１に貯溜しておき、操作ハンドル２の操作により貯水タンク１に設けた排水弁３を開けて、上記貯溜された洗浄水を便器Ｃに供給するものであり、貯水タンク１への水の貯溜をボールタップ給水栓４で制御している。
尚、図示してはいないがこの便器洗浄タンク装置Ａの給水系統には、一般的な寒冷地用水洗装置と同様に、地中の不凍帯に水抜き栓が設けられており、該水抜き栓を操作することにより給水系統の水を抜き取ることができるようになっている。
【０００７】
上記ボールタップ給水栓４は図１〜図３に示すように、給水栓本体41の流入部と流出部を連絡する流路42に設けられた弁体43がダイヤフラム弁ａと、その弁ａの弁体43により弁ａ背後に形成されると共に小孔44を介して１次側流路42aに連絡する圧力室45と、圧力室45に設けられてその開弁により圧力室45内の水を給水栓本体41外に排出するパイロット弁ｂと、貯水タンク１の水位の昇降に伴って昇降する浮子46とを備え、パイロット弁ｂの弁体47を、浮子46の下降により開弁方向に駆動され、浮子46の上昇により閉弁方向に駆動されるように、浮子46に連係せしめたダイヤフラム式ボールタップとして従来周知の構造、形態を有し、パイロット弁ｂの開弁による圧力室45内の水の貯水タンク１内への排出で生じる圧力室45と１次側流路42a との差圧により弁ａを開弁し、パイロット弁ｂ閉弁後の小孔44からの圧力室45への水の流入による圧力室45の圧力回復により弁ａを閉弁するように構成されている。
【０００８】
この実施例において、パイロット弁ｂは給水栓本体41の上面部に設けられており、前記水抜き栓の操作だけでは圧力室45内の水が抜け切れない構造であるため、圧力室45内の水を完全に抜くために水抜き装置５が給水栓本体41に一体に設けられている。
【０００９】
給水栓本体41にはその下面に大略Ｌ字状のレバー室８が設けられており、該レバー室８に配備された突上げロッド91がレバー室８の垂直部81より給水栓本体41の壁を貫通して流路の２次側42b に延び、その先端が弁座49の中心から弁体43下面に僅かな間隔を有して対向している。
【００１０】
上記突上げロッド91の下端にはキックレバー92の一端が枢着され、このキックレバー92はレバー室８の水平部82を挿通してレバー室８外部に延び、その他端部に貯水タンク１の蓋11を貫通して垂直に延びた操作ロッド93の下端が枢着されている。
【００１１】
上記キックレバー92はその中間部がレバー室８内において枢支されており、これにより操作ロッド93、キックレバー92、突上げロッド91からなるリンク機構は操作ロッド93の押し下げにより突上げロッド91が押し上げられるように構成されている。
【００１２】
而して、この突上げロッド91の上動により弁体43は下から突上げられて、弁座49から引き離され弁a は開弁状態となる。
尚、キックレバー92の枢支部はキックレバー92中間部に設けた球状部分94をレバー室８内に嵌め込んだ弾性支持体95で挟みつけて、外力が加えられない限り弾性支持体95の摩擦力によりキックレバー92を動かないように保持し得るように構成されており、これにより弁a の開弁状態が保持される。
【００１３】
即ち、この実施例において上記操作ロッド93、キックレバー92、突上げロッド91からなるリンク機構は、手動で強制的に弁a を開弁させる強制開弁手段９を構成する。
【００１４】
ここで、温度が下がり貯水タンク１内の温度条件が氷点温度付近の所定の温度以下になると、ボールタップ給水栓が凍結の恐れがあるときには、給水系統に水抜き栓を備える従来と同様、水抜き栓を操作して給水系統の水を抜くと共に排水弁３を操作して貯水タンク１内の水を排水してタンク１を空にするようになす。
そして、水抜き装置５で圧力室45内の残留水が水抜き流路51を通って貯水タンク１に排出される。
【００１５】
水抜き後、操作ロッド93を押し下げて、弁体43を突上げ、弁座49から強制的に引き離してやることにより弁体43と弁座49の凍り付きを防止することができる。
そして、操作ロッド93を引き上げることにより突上げロッド91の弁体43に対する付勢力はなくなるので、弁a は閉弁状態に戻り、再通水によりボールタップ給水栓４は直ちに通常の作動が可能となる。
【００１６】
【効果】
本発明は以上のように構成したので、下記するような効果を奏する。
請求項１のボールタップ給水栓は、ダイヤフラム弁を手動で強制的に開弁させるので、通常は給水系統に設けられた水抜き栓やボールタップ給水栓自身に取り付けた水抜き装置によりボールタップ給水栓を水抜きした状態においても弁体が弁シートに接している閉弁状態にあるダイヤフラム弁を、突上げロッドの手動による突上げで強制的に開弁させて弁体を弁座から強制的に引き離して、両者の凍り付きを防止することができる。
従って、凍結の危険が消滅した後、突上げロッドの突上げを解除すれば再通水により直ちに使用することができるようになる。
【図面の簡単な説明】
【図１】本発明ボールタップ給水栓を使用した便器洗浄タンク装置の正面図で、一分切欠して示している。
【図２】要部の断面図で、ダイヤフラム弁を開弁させていない状態を示している。
【図３】同断面図で、ダイヤフラム弁を開弁した状態を示している。
【符号の説明】
Ａ：便器洗浄タンク装置
ａ：弁（ダイヤフラム弁）
43：弁体（ダイヤフラムの弁体）
42ａ：１次側流路
42ｂ：２次側流路
45：圧力室
49：弁座
46：浮子
91：突上げロッド
93：操作ロッド
４：ボールタップ給水栓
【図１】
0003567532.tif 000002
【図２】
0003567532.tif 000003
【図３】
0003567532.tif 000004